(57)【要約】【課題】無線タグ回路素子側との情報読み取り又は書き込み動作と情報端末側における情報表示とを連携させ、操作者の利便性を向上させる。【解決手段】情報を記憶するＩＣ回路部１５０及び情報の送受信を行うタグ側アンテナ１５１を有する無線タグ回路素子に対し、無線通信を介し情報の送受信を行うためのアンテナ２１０と、前記アンテナ２１０による前記無線通信を介した、前記無線タグ回路素子Ｔｏと前記情報端末との情報授受を中継記憶するための制御回路２０２内のメモリと、このメモリにおける前記中継記憶に関する所定の操作入力を行うための左クリックスイッチ２０３Ａ、右クリックスイッチ２０３Ｂとを有する。【選択図】図２
2008084108.tif 000002
【特許請求の範囲】
【請求項１】
情報端末に対し所定の操作を行うための把持操作具であって、
情報を記憶するＩＣ回路部及び情報の送受信を行うタグ側アンテナを有する無線タグ回路素子に対し、無線通信を介し情報の送受信を行うための無線タグ用通信手段と、
前記無線タグ用通信手段による前記無線通信を介した、前記無線タグ回路素子と前記情報端末との情報授受を中継記憶するための把持操作具側記憶手段と、
この把持操作具側記憶手段における前記中継記憶に関する所定の操作入力を行うための操作手段と
を有することを特徴とする把持操作具。
【請求項２】
請求項１記載の把持操作具において、
前記操作手段は、
前記操作入力として、前記無線タグ用通信手段を介した前記無線タグ回路素子に対する所定のタグ情報の読み取り又は書き込みを指示するための通信指示手段と、
前記情報端末の表示画面における所定の領域に対する処理を指示するための領域指示手段とを備えることを特徴とする把持操作具。
【請求項３】
請求項２記載の把持操作具において、
前記通信指示手段による前記読み取りの指示に応じて、前記無線タグ用通信手段を介して前記無線タグ回路素子より前記タグ情報を取得し、前記把持操作具側記憶手段へ記憶させるタグ情報読み取り手段を有する
ことを特徴とする把持操作具。
【請求項４】
請求項３記載の把持操作具において、
前記領域指示手段による前記指示に応じて、前記表示画面の前記所定の領域に対し、前記把持操作具側記憶手段へ記憶した前記タグ情報又はこれに対応する情報を割り付け表示するための割り付け処理手段を有する
ことを特徴とする把持操作具。
【請求項５】
請求項４記載の把持操作具において、
前記領域指示手段による前記指示に応じて、前記把持操作具側記憶手段に記憶した前記タグ情報を用いてデータベースへアクセスし、当該タグ情報に対応する対象物情報を取得する対象物情報取得手段を有し、
前記割り付け処理手段は、前記タグ情報に対応する情報として、前記対象物情報取得手段で取得した前記対象物情報を割り付け表示する
ことを特徴とする把持操作具。
【請求項６】
請求項２記載の把持操作具において、
前記領域指示手段による前記指示に応じて、前記表示画面の前記所定の領域に含まれる情報を取得し、前記把持操作具側記憶手段又は前記情報端末に備えられた情報端末側記憶手段へ記憶させる領域情報取得手段を有することを特徴とする把持操作具。
【請求項７】
請求項６記載の把持操作具において、
前記通信指示手段による前記書き込みの指示に応じて、前記把持操作具側記憶手段又は前記情報端末側記憶手段の記憶情報又はこれに対応する情報を前記無線タグ用通信手段を介し前記無線タグ回路素子へ書き込む書き込み処理手段を有する
ことを特徴とする把持操作具。
【請求項８】
請求項７記載の把持操作具において、
前記通信指示手段による前記書き込みの指示に応じて、前記把持操作具側記憶手段又は前記情報端末側記憶手段の記憶情報を用いてデータベースへアクセスし、当該記憶情報に対応するタグ情報を取得するタグ情報取得手段を有し、
前記書き込み処理手段は、前記記憶情報に対応する情報として、少なくとも、前記タグ情報取得手段で取得した前記タグ情報を前記無線タグ回路素子へ書き込む
ことを特徴とする把持操作具。
【請求項９】
請求項２乃至８のいずれか１項記載の把持操作具において、
前記所定の操作に係わる操作信号を前記情報端末に無線通信を介し送信するための端末用通信手段を有することを特徴とする把持操作具。
【請求項１０】
請求項２乃至９のいずれか１項記載の把持操作具において、
前記通信指示手段に基づく動作状態にあるか、若しくは、前記領域指示手段に基づく動作状態にあるかを、互いに区別可能に報知する報知手段を有することを特徴とする把持操作具。
【発明の詳細な説明】
【技術分野】
【０００１】
本発明は、情報端末に対し所定の操作を行うための把持操作具に関するものである。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが、既に種々の分野において実用化されている。例えばラベル状又はカード状の無線タグに備えられた無線タグ回路素子は、所定の無線タグ情報を記憶するＩＣ回路部とこのＩＣ回路部に接続されて情報の送受信を行うアンテナとを備え、リーダ／ライタ側よりＩＣ回路部の無線タグ情報に対してアクセス（情報の読み取りや書き込み）を行うことができる。
【０００３】
例えば、このような無線タグ情報通信装置をパソコン等の情報端末を操作するマウス（把持操作具）内に設けたものとして、特許文献１記載のものがある。この従来技術では、把持操作具がマウスパッドに置かれると、マウス機能がオン、無線タグ読取機能がオフされ、通常のマウスとして機能する。また、把持操作具がマウスパッド以外の領域に置かれると、マウス機能がオフ、無線タグ読取機能がオンされて、無線タグリーダ／ライタとして機能するようになっている。
【０００４】
【特許文献１】特開２００６−１２７０３１号公報
【発明の開示】
【発明が解決しようとする課題】
【０００５】
上記従来技術においては、把持操作具がマウスパッドに置かれるかどうかによって、マウス機能のオン・オフ及び無線タグ読み取り／書き込み機能が切り替えられるようになっている。しかしながら、無線タグ回路素子側との情報読み取り又は書き込み動作と情報端末側における情報表示とを連携させ、無線タグ回路素子側から情報を取り込んでの情報端末側への表示や、情報端末側から情報を取り込んでの無線タグ回路素子への書き込み等を、簡単な操作で行えるようにし操作者の利便性を向上することについては特に配慮されていなかった。
【０００６】
本発明の目的は、無線タグ回路素子側との情報読み取り又は書き込み動作と情報端末側における情報表示とを連携させ、操作者の利便性を向上することができる把持操作具を提供することにある。
【課題を解決するための手段】
【０００７】
上記目的を達成するために、第１の発明は、情報端末に対し所定の操作を行うための把持操作具であって、情報を記憶するＩＣ回路部及び情報の送受信を行うタグ側アンテナを有する無線タグ回路素子に対し、無線通信を介し情報の送受信を行うための無線タグ用通信手段と、前記無線タグ用通信手段による前記無線通信を介した、前記無線タグ回路素子と前記情報端末との情報授受を中継記憶するための把持操作具側記憶手段と、この把持操作具側記憶手段における前記中継記憶に関する所定の操作入力を行うための操作手段とを有することを特徴とする。
【０００８】
本願第１発明においては、無線タグ用通信手段によって無線通信を介し無線タグ回路素子と情報送受信を行い、そのときの情報授受を把持操作具側記憶手段において中継記憶する。またこのとき、操作者は、操作手段を介しこの中継記憶に関する所定の操作入力を行うことができる。これにより、無線タグ回路素子より読み取った情報を把持操作具側記憶手段に記憶し、さらにこれを情報端末側に表示させたり、あるいは、情報端末側に表示させた情報を取り込み把持操作具側記憶手段に記憶させ（把持操作具側記憶手段でなく情報端末側記憶手段に記憶させても良い）、さらにその情報を無線タグ回路素子へ書き込むことが可能となる。
【０００９】
以上のようにして、情報端末に対する把持操作具からの操作機能と、無線タグ回路素子との情報送受信機能とを用い、無線タグ回路素子側から情報を取り込んでの情報端末側への表示や、情報端末側から情報を取り込んでの無線タグ回路素子への書き込み等を、簡単な操作によって行うことができる。この結果、操作者の利便性を向上することができる。
【００１０】
第２発明は、上記第１発明において、前記操作手段は、前記操作入力として、前記無線タグ用通信手段を介した前記無線タグ回路素子に対する所定のタグ情報の読み取り又は書き込みを指示するための通信指示手段と、前記情報端末の表示画面における所定の領域に対する処理を指示するための領域指示手段とを備えることを特徴とする。
【００１１】
これにより、通信指示手段の読み取り指示に基づき無線タグ回路素子より読み取った情報を、領域指示手段の指示に基づき情報端末の所定の領域に表示させたり、あるいは、情報端末側に表示させた情報を領域指示手段の指示に基づいて取り込み、さらに通信指示手段の書き込み指示に基づきその情報を無線タグ回路素子へ書き込むことができる。
【００１２】
第３発明は、上記第２発明において、前記通信指示手段による前記読み取りの指示に応じて、前記無線タグ用通信手段を介して前記無線タグ回路素子より前記タグ情報を取得し、前記把持操作具側記憶手段へ記憶させるタグ情報読み取り手段を有することを特徴とする。
【００１３】
これにより、通信指示手段の読み取り指示に基づきタグ情報読み取り手段で無線タグ回路素子より取得したタグ情報又はこれに対応する情報を、領域指示手段の指示に基づき情報端末の所定の領域に表示させることが可能となる。
【００１４】
第４発明は、上記第３発明において、前記領域指示手段による前記指示に応じて、前記表示画面の前記所定の領域に対し、前記把持操作具側記憶手段へ記憶した前記タグ情報又はこれに対応する情報を割り付け表示するための割り付け処理手段を有することを特徴とする。
【００１５】
これにより、通信指示手段の読み取り指示に基づきタグ情報読み取り手段で無線タグ回路素子より取得したタグ情報又はこれに対応する情報を、領域指示手段の指示に基づき割り付け処理手段で情報端末の表示画面の所定の領域に割り付け表示することができる。
【００１６】
第５発明は、上記第４発明において、前記領域指示手段による前記指示に応じて、前記把持操作具側記憶手段に記憶した前記タグ情報を用いてデータベースへアクセスし、当該タグ情報に対応する対象物情報を取得する対象物情報取得手段を有し、前記割り付け処理手段は、前記タグ情報に対応する情報として、前記対象物情報取得手段で取得した前記対象物情報を割り付け表示することを特徴とする。
【００１７】
タグ情報読み取り手段で無線タグ回路素子よりタグ情報を取得した後、対象物情報取得手段でこのタグ情報に対応する対象物情報をデータベースより取得し、割り付け処理手段で表示画面の所定の領域にその対象物情報を割り付け表示することができる。このように、データベースを用いてタグ情報と対象物情報とを関連付けることで、無線タグ回路素子に対応した対象物名称等を表示画面に表示することができるので、よりわかりやすい明確な情報を操作者に提供することができる。
【００１８】
第６発明は、上記第２発明において、前記領域指示手段による前記指示に応じて、前記表示画面の前記所定の領域に含まれる情報を取得し、前記把持操作具側記憶手段又は前記情報端末に備えられた情報端末側記憶手段へ記憶させる領域情報取得手段を有することを特徴とする。
【００１９】
これにより、領域指示手段の指示に基づき取得した、表示画面の所定の領域に含まれる情報又はこれに対応する情報を、無線タグ回路素子へ書き込むことが可能となる。
【００２０】
第７発明は、上記第６発明において、前記通信指示手段による前記書き込みの指示に応じて、前記把持操作具側記憶手段又は前記情報端末側記憶手段の記憶情報又はこれに対応する情報を前記無線タグ用通信手段を介し前記無線タグ回路素子へ書き込む書き込み処理手段を有することを特徴とする。
【００２１】
これにより、領域指示手段の指示に基づき領域情報取得手段で取得した、表示画面の所定の領域に含まれる情報又はこれに対応する情報を、通信指示手段の書き込み指示に基づき書き込み処理手段で無線タグ回路素子に書き込むことができる。
【００２２】
第８発明は、上記第７発明において、前記通信指示手段による前記書き込みの指示に応じて、前記把持操作具側記憶手段又は前記情報端末側記憶手段の記憶情報を用いてデータベースへアクセスし、当該記憶情報に対応するタグ情報を取得するタグ情報取得手段を有し、前記書き込み処理手段は、前記記憶情報に対応する情報として、少なくとも、前記タグ情報取得手段で取得した前記タグ情報を前記無線タグ回路素子へ書き込むことを特徴とする。
【００２３】
領域情報取得手段で表示画面の所定の領域に含まれる情報を取得した後、タグ情報取得手段で当該取得した情報に対応するタグ情報をデータベースより取得し、書き込み処理手段で無線タグ回路素子にそのタグ情報を書き込むことができる。このように、データベースを用いて表示画面の情報とタグ情報とを関連付けることで、無線タグ回路素子に対しては表示画面の情報そのものを書き込む必要はなくなるので、記憶容量の少ない無線タグ回路素子を用いる場合にも対応できる。
【００２４】
第９発明は、上記第２乃至第８発明のいずれかにおいて、前記所定の操作に係わる操作信号を前記情報端末に無線通信を介し送信するための端末用通信手段を有することを特徴とする。
【００２５】
端末用通信手段を用いることで、把持操作具からの操作信号を無線通信を介し情報端末に送信することができる。
【００２６】
第１０発明は、上記第２乃至第９発明のいずれかにおいて、前記通信指示手段に基づく動作状態にあるか、若しくは、前記領域指示手段に基づく動作状態にあるかを、互いに区別可能に報知する報知手段を有することを特徴とする。
【００２７】
これにより、把持操作具が、無線タグ回路素子との通信状態であるか、若しくは、情報端末に対する領域指定等の操作状態であるかを、操作者に確実に認識させることができる。
【発明の効果】
【００２８】
本発明によれば、無線タグ回路素子側との情報読み取り又は書き込み動作と情報端末側における情報表示とを連携させ、操作者の利便性を向上することができる。
【発明を実施するための最良の形態】
【００２９】
以下、本発明の一実施の形態を図面を参照しつつ説明する。
【００３０】
図１は、本実施形態のマウスを、情報端末に接続した状態を表す図である。
【００３１】
図１において、情報端末（ＰＣ端末、又は汎用コンピュータ。以下、「ＰＣ」と記載）に対し、マウス２００（把持操作具）が例えばＵＳＢケーブル等の接続手段３を介して接続されている。なお、この例では一般的な光学式マウスを例にとって説明するが、光学式マウスでなくトラックボール式マウスであってもよい。
【００３２】
情報端末１００は、操作者に対し表示を行うための表示部１０１と、操作者が例えば文書の作成・編集等の作業を行うために操作入力を行うための適宜のボタン、キー、キーボート等からなる操作部１０２とを有している。
【００３３】
マウス２００は、無線タグ（詳細は後述）に対し無線通信により情報の読み取りや書き込みを行うためのアンテナ２１０（タグ用通信手段）を有する。
【００３４】
図２は、上記ＰＣ１００及びマウス２００の詳細機能を表す機能ブロック図である。
【００３５】
この図２において、ＰＣ１００は、上記操作部１０２と、上記表示部１０１と、各種アプリケーションソフトやデータベース、電子ファイル等が格納されるハードディスク１０３と、上記マウス２００との間で上記接続手段３を介して行われる通信の制御を行うインターフェース制御部１０４と、これら表示部１０１、操作部１０２、ハードディスク１０３、及びインターフェース制御部１０４を含むＰＣ１００全体の動作を制御する制御回路１０５とを有する。なお、制御回路１０５には、ＲＡＭ等のメモリ（情報端末側記憶手段）１０５Ａが設けられている。
【００３６】
マウス２００は、上記無線タグ（この例ではタグカード）１に備えられる無線タグ回路素子Ｔｏのアンテナ１５１（タグ側アンテナ）との間で無線通信により信号の授受を行う上記アンテナ２１０と、このアンテナ２１０を介し上記無線タグ回路素子ＴｏのＩＣ回路部１５０へアクセスする（この例では読み取り又は書き込みを行う）とともに、無線タグ回路素子Ｔｏから読み出された信号を処理する高周波回路２０１と、高周波回路２０１を介し無線タグ回路素子ＴｏのＩＣ回路部１５０から読み出された信号を処理して情報を読み出すとともに無線タグ回路素子ＴｏのＩＣ回路部１５０へアクセスするためのアクセス情報を生成する機能を含み、マウス２００全体の動作を制御する制御回路２０２と、操作者が操作可能な左クリックスイッチ２０３Ａ（操作手段、領域指示手段）及び右クリックスイッチ２０３Ｂ（操作手段、通信指示手段）や、その他適宜のボタン、キー等を備えた操作部２０３と、上記ＰＣ１００との間で接続手段３を介して行われる通信の制御を行うインターフェース制御部２０４とを有する。なお、制御回路２０２には、ＲＡＭ等のメモリ（操作具側記憶手段）２０２Ａが設けられている。
【００３７】
また、上記マウス２００は、通常のマウスモード（一般的なマウスとしての所定の操作をＰＣ１００に対して行うためのモード）と、ＲＦＩＤモード（無線タグ情報の読み取り、書き込みの操作を行うためのモード）とが備えられている。マウスモードでは、通常のマウスとしての機能と同様、操作者がマウス２００を把持して前後左右に動かすことにより、（詳細な説明は省略するが）公知の手法により表示部１０１におけるカーソル１０１ａを意図する方向や位置へ動かすことができるものである。ＲＦＩＤモードの詳細については後述する。
【００３８】
また、この例では、右クリックスイッチ２０３Ｂの操作（＝右クリック操作）により上記マウスモードから上記ＲＦＩＤモードに切り替えることができ、左クリックスイッチ２０３Ａの操作（＝左クリック操作）により上記ＲＦＩＤモードから上記マウスモードに切り替えることができる。なお、このモード切替は短時間に２度押下するダブルクリックによってもよいし、また別途操作ボタン等を設けて行うようにしてもよい。
【００３９】
図３は、読み取り又は書き込みを行う対象となる上記無線タグ１の全体概略構造の一例を表す上面図である。
【００４０】
この図３において、無線タグ１は前述のようにカード状に形成されており、略四角薄板形状の基材２と、この基材２に配置された上記無線タグ回路素子Ｔｏとから構成されている。
【００４１】
基材２の表側（上面）には、この無線タグ１に適宜の印刷が施された領域Ｓ（この例では「ＡＢＣＤＥ」という印字）を備えている。なお、この領域Ｓに印字可能な印字情報としては、無線タグ１を所持する所有者等に関連する情報であってもよく、また文字に限られず図形や符号、あるいは単なる色塗りや模様等であってもよい。なお、この例では無線タグ回路素子Ｔｏを取り付けたものとしてカード状の無線タグ１を例にとって説明したが、これに限らず、無線タグ回路素子Ｔｏを取り付けたものであればよい。
【００４２】
図４は、上記無線タグ１に備えられた上記無線タグ回路素子Ｔｏの機能的構成の一例を表すブロック図である。
【００４３】
図４において、無線タグ回路素子Ｔｏは、無線タグ回路素子Ｔｏの読み取り機能を備えたマウス２００のアンテナ２１０と短波帯（例えば１３．５６ＭＨｚ）、ＵＨＦ帯、又はマイクロ波帯等の高周波を用いて非接触で信号の送受信を行う上記アンテナ１５１）と、このアンテナ１５１に接続された上記ＩＣ回路部１５０とを有している。
【００４４】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔｏの作動を制御するための制御部１５７とを備えている。
【００４５】
変復調部１５６は、アンテナ１５１により受信されたマウス２００のアンテナ２１０からの通信信号の復調を行うと共に、上記制御部１５７からの返信信号に基づき、上記アンテナ１５１が受信した搬送波を変調し、アンテナ１５１より反射波として再送信する。
【００４６】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４７】
図５は、上記のようにして読み取った対象物情報又は領域から取得した情報（対象物情報）のデータ構成の一例を表す図である。
【００４８】
この図５に示す例では、無線タグ回路素子ＴｏのＩＣ回路部１５０の上記メモリ部１５５に記憶されるデータとして、前述したタグ識別情報であるタグＩＤと、無線タグ１の対象物に関わる対象物情報（後述のように表示部１０１において領域指定されたテキスト情報を含む）とを有している。
【００４９】
上記の構成において、本実施形態の最も大きな特徴は、マウス２００の上記マウスモードと上記ＲＦＩＤモードとを用いて、簡単な操作で、無線タグ回路素子Ｔｏから無線タグ情報を読み取って対応する内容を情報端末１００の表示部１０１に表示させたり、逆に情報端末１００の表示部１０１に表示された内容に対応する情報を無線タグ回路素子Ｔｏに書き込むことにある。以下、それぞれに分けて上記の詳細を説明する。
【００５０】
（Ａ）無線タグ情報を読み取り、端末に表示する動作
この動作の場合、マウス２００を上記マウスモードから上記ＲＦＩＤモードに切り替える。そして、無線タグ１をマウス２００側に近接させ（通信可能範囲に存在させ）て所定の操作を行う（詳細は後述）ことにより、無線タグ１の無線タグ回路素子ＴｏのＩＣ回路部１５０に記憶保持されたタグＩＤ等の情報（詳細は後述する）がマウス２００側に取得され、さらにこれが情報端末１００に出力されることで、上記タグＩＤ等の情報が表示部１０１（詳細にはマウスモードにおいて指定するカーソル位置）に表示される。
【００５１】
図６は、この動作時において、上記マウス２００により無線タグ１から読み取られ、さらにＰＣ１００の表示部１０１に表示された情報の一例を表す図である。図６において、この例では、上記表示部１０１に、無線タグ１より読み取った情報（対象物情報）として、対象物の物品名「キャビネットＡ」、対象物の購入日「２００６．０９．０９」、対象物の管理者氏名「鈴木一郎」、の各情報が表示されている。
【００５２】
図７は、上記無線タグ情報の読み取り→表示部１０１への表示動作の時に上記マウス２００の制御回路２０２によって実行される制御手順を表すフローチャートである。
【００５３】
この図７において、まずステップＳ１０において、操作者によって無線タグ回路素子Ｔｏへの通信指示が有ったか否かを判定する。具体的には、ＲＦＩＤモードに切り替え操作である右クリック操作がされたかどうかを判定する。右クリック操作がされた場合、この判定が満たされ、ＲＦＩＤモードに切り替えが行われるとともに次のステップＳ２０に移る。
【００５４】
次のステップＳ２０では、上記アンテナ２１０を介して、無線タグ１の無線タグ回路素子Ｔｏに対し無線タグ１の無線タグ情報を読み取るためのタグ読み取り信号（無線タグ１の無線タグ回路素子Ｔｏに対し記憶された情報を読み取るための信号）を送信する。詳細には、例えば、無線タグ回路素子Ｔｏに記憶された情報を読み出すための「Ｓｃｒｏｌｌ  ＡＬＬ  ＩＤ」信号（又は「Ｐｉｎｇ」信号）を生成して高周波回路２０１を介して通信範囲内に存在する無線タグ回路素子Ｔｏに送信させ、返信を促す。
【００５５】
その後、ステップＳ３０に移り、上記「Ｓｃｒｏｌｌ  ＡＬＬ  ＩＤ」信号等に対応し無線タグ回路素子Ｔｏから送信（返信）されたリプライ信号がアンテナ２１０を介し受信され、高周波回路２０１を介して取り込まれたかどうかを判定する。リプライ信号が受信されるまでこの手順を繰り返し、リプライ信号が受信されたら判定が満たされ、次のステップＳ４０へ移る。
【００５６】
ステップＳ４０では、上記アンテナ２１０を介して受信された上記リプライ信号の中から、無線タグ情報（読み取り情報、対象物情報）を抽出して取得し、制御回路２０２の上記メモリ２０２Ａ（操作具側記憶手段）に一時的に記憶（中継記憶）させる。
【００５７】
なお、無線タグ回路素子Ｔｏに対象物情報が記憶されておらずタグＩＤが記憶されている場合には、上記アンテナ２１０を介して受信された上記リプライ信号の中から当該タグＩＤを抽出して取得し、これをキーとしてＰＣ１００のハードディスク１０３等（その他外部データベースでもよい）にアクセスし、当該無線タグ情報に対応する対象物情報を取得するようにしてもよい（対象物情報取得手段）。この場合、データベースを用いてタグ情報と対象物情報とを関連付けることで、無線タグ回路素子Ｔｏに対応した対象物名称等を表示部１０１に表示することができるので、よりわかりやすい明確な情報を操作者に提供できるという効果がある。
【００５８】
その後、ステップＳ５０において、上記ステップＳ４０でメモリ２０２Ａに記憶した対象物情報を読み出してＰＣ１００へ出力し、このフローを終了する。
【００５９】
図８は、上記無線タグタグ情報の読み取り→表示部１０１への表示動作の時にＰＣ１００の制御回路１０５によって実行される制御手順を表すフローチャートである。
【００６０】
図８において、まず、前述の図７のステップＳ５０においてマウス２００の制御回路２０２から出力された対象物情報を入力する。
【００６１】
その後、ステップＳ１１０に移り、操作者によって対象物情報の貼り付け（ペースト）指示が有ったか否かを判定する。具体的には、マウスモードに切り替え操作である左クリック操作がされたかどうかを判定する。左クリック操作がされた場合、この判定が満たされ、マウスモードに切り替えが行われるとともに次のステップＳ１２０に移る。
【００６２】
ステップＳ１２０では、表示部１０１へ表示制御信号を出力し、表示部１０１内のカーソル位置（具体的には前述の入力ウィンドウ５０内においてマウスモード２００により指定されたカーソルの位置）に上記ステップＳ１１０で取得した対象物情報に相当する表示（例えばテキスト。上記図６（ａ）参照）を貼り付け表示させ、このフローを終了する。
【００６３】
なお、上記のように１回の左クリック操作でマウスモードへの切り替え指示と貼り付け指示とを同時に行うのではなく、それぞれの操作を分けるようにしてもよい。例えば最初の左クリック操作でマウスモードへ切り替わり、（所望の位置にカーソル移動させた後）その後の再度の左クリック操作でそのときのカーソル位置に貼り付けるようにしてもよい。またこれらを別々の態様の操作（クリック１回と２回、左クリックと右クリック等）としてもよい。
【００６４】
（Ｂ）情報端末に表示された情報を、無線タグに書き込む動作
この動作の場合、マウス２００を上記マウスモードに切り替えてカーソル操作により情報端末１００の表示部１０１において領域指定を行う。そして、上記マウスモードから上記ＲＦＩＤモードに切り替え、無線タグ１をマウス２００側に近接させ（通信可能範囲に存在させ）て所定の操作を行う（後述）ことにより、当該領域指定された情報（テキスト情報等）がタグＩＤとともにマウス２００側にて取得され、さらに無線タグ１の無線タグ回路素子ＴｏのＩＣ回路部１５０へ書き込まれ記憶される。
【００６５】
図９は、この動作時において、ＰＣ１００の表示部１０１に表示され、上記マウス２００により無線タグ１へ書き込まれる情報（対象物情報）の一例を表す図である。図９に示すように、この例では、表示部１０１の入力ウィンドウ５０において、対象物の物品名「キャビネットＡ」、対象物の購入日「２００６．０９．０９」、対象物の管理者氏名「佐藤次郎」、の各情報が表示されている。そしてそのうち、マウスモードにおけるマウス２００の操作により、無線タグ１に新たに書き込まれるための情報として、「管理者：佐藤次郎」が領域指定により選択され反転部５１として反転表示された状態を表している。
【００６６】
図１０は、上記表示部１０１での領域指定→無線タグ１への書き込み動作の時に上記ＰＣ１００の制御回路１０５によって実行される制御手順を表すフローチャートである。
【００６７】
まずステップＳ３１０において、マウス２００より領域指示が有ったか否かを判定する。具体的には、上記図６（ｂ）に示したように、表示部１０１内に所定の情報（対象物情報）が表示された状態において、その対象物情報の中の一部又は全部がマウスモードでのマウス２００の操作によって指定されて反転部５１となったかどうかを判定する。反転部５１が生じていれば、この判定が満たされて、次のステップＳ３２０に移る。
【００６８】
ステップＳ３２０では、上記領域指示の有った範囲に含まれる対象物情報を取得する。その後、ステップＳ３３０に移り、上記対象物情報をマウス２００へ出力し、このフローを終了する。
【００６９】
図１１は、上記表示部１０１での領域指定→無線タグ１への書き込み動作の時に上記マウス２００の制御回路２０２によって実行される制御手順を表すフローチャートである。
【００７０】
この図１１において、まずステップＳ２１０において、前述のステップＳ３３０においてＰＣ１００より出力された対象物情報を入力する。
【００７１】
その後、ステップＳ２２０に移り、上記ステップＳ２１０で入力した対象物情報を制御回路２０２のメモリ２０２Ａに一時的に記憶（中継記憶）させる。
【００７２】
その後、ステップＳ２３０では、操作者によって無線タグ回路素子Ｔｏへの通信指示が有ったか否かを判定する。具体的には、ＲＦＩＤモードに切り替え操作である右クリック操作がされたかどうかを判定する。右クリック操作がされた場合、この判定が満たされ、ＲＦＩＤモードに切り替えが行われるとともに次のステップＳ２４０に移る。
【００７３】
次のステップＳ２４０では、上記ステップＳ２２０でメモリ２０２Ａに記憶していた対象物情報を読み出し、上記アンテナ２１０を介して、無線タグ１の無線タグ回路素子ＴｏのＩＣ回路部１５０へ対象物情報の書き込みを行うための書き込み信号を送信する。詳細には、例えば、無線タグ回路素子Ｔｏに所望の情報を書き込むための「Ｐｒｏｇｒａｍ」信号を生成して高周波回路２０１を介して通信範囲内に存在する無線タグ回路素子Ｔｏに送信させ、書き込みを行う。そして、このフローを終了する。なお、メモリ２０２Ａに記憶した情報を読み出して書き込むを行うのに代えて、制御回路１０５の上記メモリ１０５Ａに記憶させておいた情報を読み出して書込みを行うようにしてもよい。
【００７４】
なお、特に図示しないが、上記ステップＳ２４０以降において、無線タグ１から書き込みを完了した旨のリプライ信号を受信した後にこのフローを終了するようにしてもよい。
【００７５】
なお、上記フローにおいて、無線タグ１の無線タグ回路素子Ｔｏに上記対象物情報自体を（タグＩＤとともに）書き込むようにしてもよいし、対象物情報をひも付けしたタグＩＤを記憶させるようにしてもよい。この場合、上記対象物情報を用いてＰＣ１００のハードディスク１０３等（その他外部データベースでもよい）へアクセスして対応する（ひも付けられる）タグＩＤを取得し（タグ情報取得手段）、無線タグ回路素子ＴｏにはそのタグＩＤを書き込む。このとき、そのタグＩＤと対象物とのひも付けを表す相関を当該ハードディスク１０３等に格納することで、後にタグＩＤをキーとして当該データベースにアクセスすれば、対応する対象物情報を取得することができる。このように、データベースを用いてひも付けを行うことで、無線タグ回路素子Ｔｏに対し対象物情報そのものを書き込む必要はなるので、記憶容量の少ない無線タグ回路素子Ｔｏを用いる場合にも対応できる。
【００７６】
なお、上記のように１回の右クリック操作でＲＦＩＤモードへの切り替え指示と通信（書き込み）指示とを同時に行うのではなく、それぞれの操作を分けるようにしてもよい。例えば最初の右クリック操作でＲＦＩＤモードへ切り替わり、その後の再度の右クリック操作で無線タグ回路素子Ｔｏへの書込みが実行されるようにしてもよい。またこれらを別々の態様の操作（クリック１回と２回、右クリックと左クリック等）としてもよい。
【００７７】
以上において、マウス２００の制御回路２０２によって実行される図７のフローのステップＳ１０〜ステップＳ４０が、各請求項記載の通信指示手段による読み取りの指示に応じて、タグ用通信手段を介して前記無線タグ回路素子より前記タグ情報を取得し、操作具側記憶手段へ記憶させるタグ情報読み取り手段を構成する。
【００７８】
さらに、ステップＳ５０が、領域指示手段による指示に応じて、表示画面の所定の領域に対し、操作具側記憶手段へ記憶したタグ情報（タグＩＤ等）又はこれに対応する情報（タグＩＤに紐付けられた対象物情報）を割り付け表示するための割り付け処理手段を構成する。
【００７９】
また、図１１に示すフローのステップＳ２１０及びステップＳ２２０が、領域指示手段による指示に応じて、表示画面の所定の領域に含まれる情報を取得し、操作具側記憶手段に備えられた情報端末側記憶手段へ記憶させる領域情報取得手段を構成する。
【００８０】
さらに、ステップＳ２４０が、通信指示手段による書き込みの指示に応じて、操作具側記憶手段の記憶情報又はこれに対応する情報をタグ用通信手段を介し無線タグ回路素子へ書き込む書き込み処理手段を構成する。
【００８１】
以上説明したように、本実施形態のマウス２００によれば、情報端末１０１に対する操作機能と、無線タグ回路素子Ｔｏとの情報送受信機能とを用い、無線タグ回路素子Ｔｏ側から情報を取り込んでの情報端末１０１側への表示や、情報端末１０１側から情報を取り込んでの無線タグ回路素子Ｔｏへの書き込み等を、簡単な操作によって行うことができる。この結果、操作者の利便性を向上することができる。
【００８２】
なお、本発明は、上記の各実施形態に限られず、その趣旨と技術思想の範囲を逸脱しない範囲で更に種々の変形が可能である。以下その変形例を説明する。
【００８３】
（１）接続手段として無線通信を用いてＰＣ１００と通信を行う場合
上記実施形態においては、接続手段３としてＵＳＢケーブル等の有線接続手段を介して上記マウス２００とＰＣ１００とを接続した例を説明したが、これに限られない。例えば、ブルートゥース（Ｂｌｕｅｔｏｏｔｈ）等の電波を利用した無線通信を介して上記マウス２００とＰＣ１００との通信を行うようにしてもよい（端末用通信手段）。なお、上記無線通信はブルートゥースに限られない。
【００８４】
（２）ＬＥＤ等によりマウス２００の動作状態を区別可能とする場合
上記実施形態では、右クリッ操作、左クリック操作にてモード（マウスモード、ＲＦＩＤモード）の切り替えを行う。この場合、特に上記マウス２００の外見上からは現在いずれのモードが選択されているか区別がつきにくい可能性がある。そこで、本変形例では、この区別を明確にするためのＬＥＤ等（報知手段）をマウス２００に設けるものである。
【００８５】
図１２は、本変形例のマウス２００′の機能的構成を表す機能ブロック図であり、前述の図２の部分抽出図にほぼ相当する図である。図２と同等の部分には同一の符号を付し、説明を省略する（なおメモリ２０２Ａは図示省略している）。図１２において、このマウス２００′では、ＲＦＩＤモード時に制御回路２０２からの信号によりＬＥＤ制御部２２０を介し点灯制御されるＬＥＤＡ２２２と、マウスモード時に制御回路２０２からの信号によりＬＥＤ制御部２２０を介し点灯制御されるＬＥＤＢ２２４とが設けられている。
【００８６】
本変形例では、マウス２００′のモードに応じてＬＥＤＡ又はＬＥＤＢを切り替え点灯させることで、上記マウス２００が、現在無線タグ回路素子Ｔｏとの通信状態であるのか、もしくはＰＣ１００に対する領域指定等の操作状態にあるかを操作者に確実に認識させることができる。
【００８７】
なお、上記ＬＥＤＡ２２２及びＬＥＤＢ２２４は、双方を色違いのＬＥＤ（例えば赤と青のＬＥＤを用いる）としたり、設置場所を変えてより明確に認識可能としてもよい。また１つのみＬＥＤを用い、ＬＥＤが点灯中はマウスモード等としてもよいし、１つのＬＥＤの色を変化させてモード表示としてもよい。
【００８８】
なお、以上で用いた「Ｓｃｒｏｌｌ  ＡＬＬ  ＩＤ」信号、「Ｐｉｎｇ」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【００８９】
また、以上既に述べた以外にも、上記実施形態や各変形例による手法を適宜組み合わせて利用しても良い。
【００９０】
その他、一々例示はしないが、本発明は、その趣旨を逸脱しない範囲内において、種々の変更が加えられて実施されるものである。
【図面の簡単な説明】
【００９１】
【図１】本発明の一実施形態のマウスが情報端末に接続された状態を表す図である。
【図２】ＰＣ及びマウスの詳細機能を表す機能ブロック図である。
【図３】無線タグの全体概略構造の一例を表す上面図である。
【図４】無線タグ回路素子の機能的構成の一例を表すブロック図である。
【図５】無線タグ回路素子のＩＣ回路部のメモリ部のデータ構成の一例を表す図である。
【図６】ＰＣの表示部の表示画面の一例を表す図である。
【図７】マウスの制御回路によって実行される制御手順を表すフローチャートである。
【図８】ＰＣの制御回路によって実行される制御手順を表すフローチャートである。
【図９】ＰＣの表示部の表示画面の一例を表す図である。
【図１０】ＰＣの制御回路によって実行される制御手順を表すフローチャートである。
【図１１】マウスの制御回路によって実行される制御手順を表すフローチャートである。
【図１２】ＬＥＤを設けた変形例を表す機能ブロック図である。
【符号の説明】
【００９２】
１００          ＰＣ（情報端末）
１０１          表示部
１０２          操作部
１０５          制御回路
１５０          ＩＣ回路部
１５１          アンテナ（タグ側アンテナ）
２００          マウス（把持操作具）
２００′        マウス（把持操作具）
２０２          制御回路
２０３          操作部
２０３Ａ        左クリックスイッチ（操作手段、領域指示手段）
２０３Ｂ        右クリックスイッチ（操作手段、通信指示手段）
２１０          アンテナ（タグ用通信手段）
Ｔｏ              無線タグ回路素子
【図１】
2008084108.tif 000003
【図２】
2008084108.tif 000004
【図３】
2008084108.tif 000005
【図４】
2008084108.tif 000006
【図５】
2008084108.tif 000007
【図６】
2008084108.tif 000008
【図７】
2008084108.tif 000009
【図８】
2008084108.tif 000010
【図９】
2008084108.tif 000011
【図１０】
2008084108.tif 000012
【図１１】
2008084108.tif 000013
【図１２】
2008084108.tif 000014